(57)【要約】【課題】被施術者が横になってヘッドスパを受けられる頭部マッサージ用ドライミスト噴霧装置を目的とするものである。【解決手段】吸着ホルダ２により位置決め部材３に着脱自在に保持されるノズルヘッド１をダクトホース７によりドライミスト発生装置８と接続するとともに、前記ノズルヘッド１にドライミスト噴霧用の噴霧ノズル４を分岐配設する頭部マッサージ用ドライミスト噴霧装置であって、前記分岐配設される噴霧ノズル４は噴霧方向を調整できるよう仰俯角を各別に調整可能とし、前記ダクトホース７は管継手６を介して可動可能にノズルヘッド１と接続し、また、前記吸着ホルダ２はノズルヘッド１を仰俯角調整可能に保持するものである。【選択図】図１
2012029743.tif 000002
【特許請求の範囲】
【請求項１】
吸着ホルダにより位置決め部材に着脱自在に保持されるノズルヘッドをダクトホースによりドライミスト発生装置と接続するとともに、前記ノズルヘッドにドライミスト噴霧用の噴霧ノズルを分岐配設する頭部マッサージ用ドライミスト噴霧装置であって、前記分岐配設される噴霧ノズルは噴霧方向を調整できるよう仰俯角を各別に調整可能とし、前記ダクトホースは管継手を介して可動可能にノズルヘッドと接続し、また、前記吸着ホルダはノズルヘッドを仰俯角調整可能に保持することを特徴とする頭部マッサージ用ドライミスト噴霧装置。
【請求項２】
噴霧ノズルの先端にアロマオイルを含浸させた芳香器を交換可能に取り付けたことを特徴とする請求項１に記載の頭部マッサージ用ドライミスト噴霧装置。
【請求項３】
吸着ホルダが磁石または吸盤よりなることを特徴とする請求項１または２に記載の頭部マッサージ用ドライミスト噴霧装置。
【発明の詳細な説明】
【技術分野】
【０００１】
本発明は頭皮ケアや髪の修復、あるいはリラクゼーションに適した頭部マッサージ用ドライミスト噴霧装置に関するものである。
【背景技術】
【０００２】
一般的なミスト噴霧装置はドライヤ装置や理美容装置に取り付けられて、被施術者が椅子に座った状態で頭部の後方、上方、側方からミストを髪に噴霧したり、頭部に被せたヘアキャップ内にミストを噴霧して頭皮ケアを行っていた(例えば、特許文献１参照）。
【０００３】
しかし、近年、頭皮ケアや髪の修復と同時にリラクゼーションのために時間をかけてマッサージを行うヘッドスパと称せられる施術の場合、被施術者が座った姿勢ではリラックスできずリラクゼーション効果が生じにくいという問題があった。
【先行技術文献】
【特許文献】
【０００４】
【特許文献１】特許第３７３９３４４号公報
【発明の概要】
【発明が解決しようとする課題】
【０００５】
本発明は被施術者が横になってヘッドスパを受けられる頭部マッサージ用ドライミスト噴霧装置を提供することを目的とするものである。
【課題を解決するための手段】
【０００６】
本発明は、吸着ホルダにより位置決め部材に着脱自在に保持されるノズルヘッドをダクトホースによりドライミスト発生装置と接続するとともに、前記ノズルヘッドにドライミスト噴霧用の噴霧ノズルを分岐配設する頭部マッサージ用ドライミスト噴霧装置であって、前記分岐配設される噴霧ノズルは噴霧方向を調整できるよう仰俯角を各別に調整可能とし、前記ダクトホースは管継手を介して可動可能にノズルヘッドと接続し、また、前記吸着ホルダはノズルヘッドを仰俯角調整可能に保持することを特徴とする頭部マッサージ用ドライミスト噴霧装置である。
【０００７】
なお、噴霧ノズルの先端にアロマオイルを含浸させた芳香器を交換可能に取り付けたり、吸着ホルダが磁石または吸盤よりなるものとしたりしてもよい。
【発明の効果】
【０００８】
本発明は、分岐配設される噴霧ノズルは噴霧方向を調整できるよう仰俯角を各別に調整可能とし、前記ダクトホースは管継手を介して可動可能にノズルヘッドと接続し、また、前記吸着ホルダはノズルヘッドを仰俯角調整可能に保持することにより、分岐された噴霧ノズルから被施術者の頭部にドライミストを広範囲に噴霧することができるので、頭皮ケアや髪の補修を効率よく行なうことができるうえに、頭部マッサージも効果的に行えるものとなる。また、分岐された噴霧ノズルは仰俯角を調整可能とするうえ、ノズルヘッドも仰俯角調整可能としているので、頭部全体にドライミストを隈なく噴霧することができるので、頭皮ケアやリラクゼーションを効果的に行えることとなる。
【０００９】
請求項２のように、噴霧ノズルの先端にアロマオイルを含浸させた芳香器を交換可能に取り付けたことにより、被施術者の好みに合わせたアロマオイルを用いることができるのでより高いリラクゼーション効果を与えることができる。
【００１０】
請求項３のように、吸着ホルダが磁石または吸盤よりなるものとすることにより、吸盤を取り付けることができない位置決め部材の場合や、磁石を取り付けることができない位置決め部材の場合にもノズルヘッドを確実に取り付けることができる。
【図面の簡単な説明】
【００１１】
【図１】本発明の好ましい実施形態を示す側面図である。
【図２】同じく一部切欠平面図である。
【図３】施術状態を示す斜視図である。
【図４】本発明装置を用いた全体システムの１例を示す斜視図である。
【図５】本発明装置にドライミストを供給するドライミスト発生装置の概略図である。
【発明を実施するための形態】
【００１２】
次に、本発明の好ましい実施の形態を図に基づいて詳細に説明する。
１はノズルヘッドであり、該ノズルヘッド１は図３に示されるように、吸着ホルダ２によりシャンプーボウル等の位置決め部材３に適宜取り付けられるものであり、前記ノズルヘッド１の左右には図２に示されるように、噴霧ノズル４が分岐配置されている。該各噴霧ノズル４はドライミストの噴霧方向を調整できるようノズルヘッド１の本体１ａに回動可能に嵌合され、噴霧ノズル４の仰俯角を各別に調整可能としている。
【００１３】
前記吸着ホルダ２は図１、２、３、４に示されるように、略半円弧状の弾性ホルダ２ａと、該弾性ホルダ２ａを軸支されるレバー式吸盤２ｂとからなるもので、前記略半円形状の弾性ホルダ２ａによりノズルヘッド１や管継手６に取り付けられ、レバー式吸盤２ｂのレバーを操作することにより吸盤の真空度を高めて位置決め部材３に強固に取り付けられるものである。また、吸着ホルダ２は必要に応じて図３に示されるように、後記する管継手６と合成樹脂製のダクトホース７との接続部に取り付けて抜け止めと動き止めを確実に行なうようにしてもよい。なお、吸着ホルダ２は吸盤の他、磁石として位置決め部材３が磁性金属の場合の取り付けを行なってもよいことはいうまでもない。
【００１４】
分岐配設された噴霧ノズル４は図２に示されるように、ノズルヘッド１の本体１ａにシールリング１ｂを介して嵌合されて本体１ａに対して回動可能とされ、ノズルヘッド１に対して噴霧ノズル４の仰俯角を調整可能とし、ドライミストの噴霧角度を自由に変えることができるようにしている。このようにシールリング１ｂを介して嵌合することにより噴霧ノズル４の交換や洗浄を簡単に行なうことができる。なお、噴霧ノズル４を自在継手構造とすれば、噴霧ノズル４は３次元方向に可動させることができるので、ドライミストを必要な部位に的確に噴霧することができる。また、左右に分岐される噴霧ノズル４をさらに複列に配置させれば、ドライミストの噴霧範囲を広げることができる。
【００１５】
５は噴霧ノズル４の先端に交換自在に取り付けられる芳香器であり、該芳香器５の外筒内面には図２に示されるように、アロマオイルを含浸吸収させる繊維パッドやスポンジ等の環状の多孔質吸収材５ａが嵌着されており、被施術者の好みに応じたアロマオイルを含浸吸収させた芳香器５とすることができる。また、多孔質吸収材５ａはドライミストが凝集して生じた水滴を吸収して滴下することを防止する役割を有するものである。
【００１６】
６は本体１ａに接続されるダクトホース７接続用の管継手であり、該管継手６は図２に示されるように、Ｌ形としてノズルヘッド１の本体１ａにシールリング１ｂを介して嵌合され、ノズルヘッド１に対して回転可能とされるので、ダクトホース７に対してノズルヘッド１を左右に揺動させることができる。なお、管継手６を自在継手とすればノズルヘッド１を３次元方向に可動できるので、ドライミストを所望部位に的確に噴霧できるものとなる。
【００１７】
８はドライミスト発生装置であり、該ドライミスト発生装置８は図５に示されるドライミスト発生機１５に組み込まれている。前記ドライミスト発生装置８は蒸気発生機構９とミスト発生機構１０と混合器１１とからなり、ミストと蒸気とを混合することにより髪や頭部、服等が濡れることのない微粒子よりなるドライミストを生成するものである。蒸気発生機構９は水蒸発用のヒータ９ａを水タンク９ｂ内に配設したものである。また、ミスト発生装置１０はミスト発生用の超音波振動子１０ａを水タンク１０ｂ底部に配設したものである。混合器１１は蒸気発生機構９から発生した蒸気とミスト発生機構１０から発生したミストとを混合して微粒子よりなるドライミストを生成させる。
【００１８】
１２は消費した減少水をミスト発生機構１０の水タンク１０ｂに補給する補給水タンク、１３は発生したミストを送出する送風ファン、１４は混合器１１で生じた凝縮水を水タンク９ｂ、１０ｂに戻す戻し管である。
【００１９】
このように構成されたものは、例えば、図４に示されるように、リクライニングシートとシャンプーボウルＳ（位置決め部材３）とリクライニングシートの下方に配置される小型のドライミスト発生機１５とからなるシステムを用いる場合、被施術者をリクライニングシート上に寝かせ、頭部をシャンプーボウルＳ（位置決め部材３）内に配置させたうえに図３に示されるようにシャンプーボウルＳ（３）で被施術者の髪をシャンプー時、あるいはシャンプー後、頭部をマッサージする際、図３に示されるようにノズルヘッド１を位置決め部材３としてのシャンプーボウルＳに吸着ホルダ２を介して取り付ける。ノズルヘッド１の取付位置は被施術者の頭部位置に合わせてドライミストが適正に噴霧されるよう角度や向き等の位置合わせを行う。ノズルヘッド１をシャンプーボウルＳ（３）に取り付けた後、必要に応じてダクトホース７の中間を吸着ホルダ２によりシャンプーボウルＳ（３）の側面等に固定する。
【００２０】
さらに、ドライミストが被施術者に適正に噴霧されるようにノズルヘッド１の左右の分岐された噴霧ノズル４の仰俯角を各別に調整する。このように位置合わせが完了したら、ドライミスト発生機１５を起動してドライミスト発生装置８を作動させれば、ノズルヘッド１にはドライミスト発生機１５のドライミスト発生装置８とダクトホース７を介して接続されているので、蒸気発生機構９から発生した蒸気とミスト発生機構１０から発生したミストは混合器１１で混合されてドライミストに変換され、ドライミストはダクトホース７を介してノズルヘッド１に供給される。
【００２１】
ノズルヘッド１に供給されたドライミストは各噴霧ノズル４より噴霧されて被施術者の頭部に噴霧されるので、ドライミストの噴霧下にシャンプーによる地肌の汚れ落としと同時に頭皮のつぼを刺激するマッサージを行ったり、シャンプー後にトリートメント等による髪の補修とマッサージとを同時に行ったりする。また、リラクゼーションの場合は、治療ベッド上で横になりドライミストを頭部に噴霧しながら顔や頭部のマッサージを行う。
【００２２】
ドライミストの噴霧時、噴霧ノズル４の先端に取り付けられた芳香器５から発散するアロマオイルの香りにより被施術者はよりリラックスされることとなる。なお、マッサージ時、被施術者の鼻や目をタオルやテッシュペパーで覆うことにより落ち着いた気分でマッサージを受けることができる。
【符号の説明】
【００２３】
１  ノズルヘッド
1a  本体
1b  シールリング
２  吸着ホルダ
2a  弾性ホルダ
2b  レバー式吸盤
３  位置決め部材
４  噴霧ノズル
５  芳香器
5a  吸収材
６  管継手
７  ダクトホース
８  ドライミスト発生装置
９  蒸気発生機構
9a  ヒータ
9b  タンク
10  ミスト発生機構
10a  超音波振動子
10b  タンク
11  混合器
12  補給水タンク
13  送風ファン
14  戻し管
15  ドライミスト発生機
Ｓ  シャンプーボウル
【図１】
2012029743.tif 000003
【図２】
2012029743.tif 000004
【図３】
2012029743.tif 000005
【図４】
2012029743.tif 000006
【図５】
2012029743.tif 000007